(57)【要約】【課題】ユーザに違和感を与えることなく、焼き付き防止の実効を図ることができる電子装置及び焼き付き防止方法を提供すること。【解決手段】折畳式携帯電話機１００は、表示部１１０の表示画面の全面が覆われたことを検出する電子装置閉検出部１２０と、表示部１１０の表示画面の全面が覆われたことを検出したとき、焼き付き防止処理部１４０に対して焼き付き防止処理の実行を指示する制御部１３０とを備え、焼き付き防止処理部１４０は、表示部１１０の表示画面の全面が覆われた状態において、表示画面の焼き付きを防止する処理を行う。【選択図】図２
2010204497.tif 000002
【特許請求の範囲】
【請求項１】
入力画像信号を表示画面に表示する表示部を備える電子装置であって、
前記表示部の表示画面の全面が覆われたことを検出する画面閉検出手段と、
前記画面閉検出手段により前記表示部の表示画面の全面が覆われたことを検出したとき、焼き付き防止処理手段に対して焼き付き防止処理の実行を指示する制御手段と、
前記表示部の表示画面の全面が覆われた状態において、前記表示画面の焼き付きを防止する処理を行う焼き付き防止処理手段と、
を備える電子装置。
【請求項２】
入力画像信号を表示画面に表示する表示部を備える電子装置であって、
前記表示部の表示画面側の人を検出する人検出手段と、
前記人検出手段により前記表示部の表示画面側の人を検出しないとき、焼き付き防止処理手段に対して焼き付き防止処理の実行を指示する制御手段と、
前記表示部の表示画面の全面が覆われた状態において、前記表示画面の焼き付きを防止する処理を行う焼き付き防止処理手段と、
を備える電子装置。
【請求項３】
前記画面閉検出手段は、前記表示部を有する二つ折れの筐体又はその蓋部の閉状態を検出する請求項１記載の電子装置。
【請求項４】
前記制御手段は、前記焼き付き防止処理手段に対する焼き付き防止処理の実行を指示後、所定時間経過した場合に焼き付き防止処理の実行停止を指示する請求項１又は請求項２に記載の電子装置。
【請求項５】
前記画面閉検出手段により前記表示部の表示画面の全面が覆われたことを検出したときから所定時間を計時する計時手段を備え、
前記制御手段は、前記計時手段が所定時間を計時したとき、前記焼き付き防止処理手段に対して焼き付き防止処理の実行を指示する請求項１記載の電子装置。
【請求項６】
前記表示画面の複数の表示領域を覆う複数の蓋部を有し、
前記画面閉検出手段は、前記複数の蓋部の閉状態をそれぞれ検出し、
前記制御手段は、前記蓋部の閉状態に対応する前記表示領域についてのみ、前記焼き付き防止処理手段に対して焼き付き防止処理の実行を指示する請求項１記載の電子装置。
【請求項７】
前記表示部は、有機ＥＬディスプレイを含む自発光ディスプレイである請求項１又は請求項２に記載の電子装置。
【請求項８】
入力画像信号を表示画面に表示する表示部の焼き付き防止方法であって、
前記表示画面の全面が覆われたことを検出するステップと、
前記表示画面の全面が覆われたことを検出したとき、焼き付き防止処理の実行を指示するステップと、
前記実行指示に基づいて、前記表示部の表示画面の全面が覆われた状態において、前記表示画面の焼き付きを防止する処理を行うステップと
を有する焼き付き防止方法。
【請求項９】
入力画像信号を表示画面に表示する表示部の焼き付き防止方法であって、
前記表示画面側の人を検出するステップと、
前記表示画面側の人を検出しないとき、焼き付き防止処理の実行を指示するステップと、
前記実行指示に基づいて、前記表示画面の焼き付きを防止する処理を行うステップと
を有する焼き付き防止方法。
【発明の詳細な説明】
【技術分野】
【０００１】
本発明は、有機ＥＬ（Organic Electro-Luminescence）ディスプレイなどの自発光表示装置を備える電子装置及び焼き付き防止方法に関する。
【背景技術】
【０００２】
ＥＬディスプレイは自発光表示装置であるため、視野角が広く、応答速度が速い。また、バックライトが不要であるため、薄型軽量化が可能である。これらの理由から、近年、ＥＬディスプレイは、液晶表示装置に代わるフラットディスプレイとして注目されている。
【０００３】
ＥＬディスプレイは、ＥＬ素子の発光特性が発光時間の経過に伴って劣化し、同じ入力電流によって得られる輝度が徐々に低下する。このため、例えば画面の一定位置に同一の表示がなされる場合には、特定の画素の発光頻度のみが高くなるため、これらの画素は他の画素に比べて発光特性が著しく劣化し、焼付きが発生する問題がある。
【０００４】
図１０は、ＥＬディスプレイを有する携帯電話機の表示画面を示す図である。図１０に示すように、携帯電話機は、表示画面の上部に電池，アンテナ，時刻などのアイコンが表示され、表示画面の下部に各種ソフトキーが表示される。
【０００５】
自発光素子である有機ＥＬは発光すればするほど、材料劣化などにより焼き付きが生じる。電池，アンテナなどアイコン及びソフトキーなどの表示時間が長い固定パターン部において、焼き付きが顕著に発生しやすい。
【０００６】
特許文献１には、表示画像の同一性を維持しながら、電源ＯＮ／ＯＦＦ時、アプリケーション切替時、表示画面開閉時、スライド操作時に表示画像を変更する表示装置が記載されている。
【特許文献１】特開２００８−１９７６７５号公報
【発明の開示】
【発明が解決しようとする課題】
【０００７】
しかしながら特許文献１記載の装置は、ユーザが表示を見ている間に、表示画像を変更する処理を実行するため、ユーザに違和感を与える欠点がある。
【０００８】
本発明は、かかる点に鑑みてなされたものであり、焼き付き防止処理のためのイレギュラな表示の出現を防ぐことができ、ユーザに違和感を与えることなく、焼き付き防止の実効を図ることができる電子装置及び焼き付き防止方法を提供することを目的とする。
【課題を解決するための手段】
【０００９】
本発明の電子装置は、入力画像信号を表示画面に表示する表示部を備える電子装置であって、前記表示部の表示画面の全面が覆われたことを検出する画面閉検出手段と、前記画面閉検出手段により前記表示部の表示画面の全面が覆われたことを検出したとき、焼き付き防止処理手段に対して焼き付き防止処理の実行を指示する制御手段と、前記表示部の表示画面の全面が覆われた状態において、前記表示画面の焼き付きを防止する処理を行う焼き付き防止処理手段と、を備える構成を採る。
【００１０】
本発明の電子装置は、入力画像信号を表示画面に表示する表示部を備える電子装置であって、前記表示部の表示画面側の人を検出する人検出手段と、前記人検出手段により前記表示部の表示画面側の人を検出しないとき、焼き付き防止処理手段に対して焼き付き防止処理の実行を指示する制御手段と、前記表示部の表示画面の全面が覆われた状態において、前記表示画面の焼き付きを防止する処理を行う焼き付き防止処理手段と、を備える構成を採る。
【００１１】
本発明の焼き付き防止方法は、入力画像信号を表示画面に表示する表示部の焼き付き防止方法であって、前記表示画面の全面が覆われたことを検出するステップと、前記表示画面の全面が覆われたことを検出したとき、焼き付き防止処理の実行を指示するステップと、前記実行指示に基づいて、前記表示部の表示画面の全面が覆われた状態において、前記表示画面の焼き付きを防止する処理を行うステップとを有する。
【００１２】
本発明の焼き付き防止方法は、入力画像信号を表示画面に表示する表示部の焼き付き防止方法であって、前記表示画面側の人を検出するステップと、前記表示画面側の人を検出しないとき、焼き付き防止処理の実行を指示するステップと、前記実行指示に基づいて、前記表示画面の焼き付きを防止する処理を行うステップとを有する。
【発明の効果】
【００１３】
本発明によれば、焼き付き防止処理のためのイレギュラな表示の出現を防ぐことができ、ユーザに違和感を与えることなく、焼き付き防止の実効を図ることができる。
【発明を実施するための最良の形態】
【００１４】
以下、本発明の実施の形態について図面を参照して詳細に説明する。
【００１５】
（実施の形態１）
図１は、本発明の実施の形態１に係る表示装置を備える電子装置の構成を示す図である。本実施の形態は、自発光表示装置として有機ＥＬディスプレイを備える携帯電話機／ＰＨＳ（Personal Handy-Phone System）を適用した例である。また、携帯電話機のほか、ＰＤＡ（Personal Digital Assistants：携帯情報端末）、携帯ゲーム機などの電子装置に適用できる。
【００１６】
図１に示すように、折畳式携帯電話機１００は、上筐体（第１の筐体）１０１と下筐体（第２の筐体）１０２とがヒンジ部（図示略）によって回動自在に連結され、開いた状態と閉じた状態との２つの状態を取り得る構造となっている。図１（ａ）は、折畳式携帯電話機１００の開き状態、図１（ｂ）はその閉じ状態である。
【００１７】
上筐体１０１及び下筐体１０２は、絶縁体である樹脂の成型品、例えば非導電性のＡＢＳ樹脂により構成される。上筐体１０１は、表示部１１０が設けられる。下筐体１０２は、操作キーボタンを有する操作部及びマイク等（図示略）が設けられ、内部に無線回路、制御回路及び情報処理回路等を備えている。また、図示は省略するが、上筐体１０１及び下筐体１０２には、サブ画面表示部、着信音等を出力するスピーカ、画像を撮影するカメラ部、外部機器と接続するコネクタ部などが設けられる。
【００１８】
本実施の形態の電子装置は、表示画面の全面を覆うことができる構成の筐体を有する。例えば、折畳式又はフリップ式の携帯電話機、折畳式ノートパソコンなどである。
【００１９】
図２は、実施の形態１に係る表示装置を備える電子装置の構成を示すブロック図である。
【００２０】
図１に示すように、折畳式携帯電話機１００は、表示部１１０、電子装置閉検出部１２０、制御部１３０、及び焼き付き防止処理部１４０を備えて構成される。
【００２１】
表示部１１０は、例えば有機ＥＬディスプレイなど自発光ディスプレイである。ここでは、表示部１１０は、折畳式携帯電話機１００の表示装置として用いている。携帯電話機１００の主表示装置には、ＬＣＤディスプレイ等からなる表示装置が使用されることが多い。しかし焼き付きが特に懸念されるのは有機ＥＬディスプレイである。また、表示部１１０は、携帯端末の場合は、軽量化・薄型化の観点からＥＬディスプレイが適しているが自発光ディスプレイであればよく、例えばＰＤＰ（Plasma Display Panel）であってもよい。本実施の形態は、自発光表示装置に特に適しているものの、ＬＣＤディスプレイにも適用可能である。
【００２２】
電子装置閉検出部１２０は、電子装置（ここでは折畳式携帯電話機１００）の閉状態を検出するスイッチである。このスイッチは、受光素子からなるセンサのほか、メカニカルスイッチであってもよい。折畳式携帯電話機１００は、このようなスイッチを予め備えている。
【００２３】
制御部１３０は、ＣＰＵ又は電子回路等により構成され、電子装置閉検出部１２０の閉検出信号に基づいて焼き付き防止処理部１４０の実行制御を行う。制御部１３０は、簡易な構成であるため電子回路で構成してもよく、焼き付き防止処理部１４０内に組み込まれていてもよい。図２破線は、制御部１３０が焼き付き防止処理部１４０に組み込まれ、制御端子付き焼き付き防止処理部１４０Ａを構成する例である。また、制御部１３０は、折畳式携帯電話機１００全体の制御を行う制御部（図示略）の資源を使用してもよい。
【００２４】
焼き付き防止処理部１４０は、表示部１１０の表示画面の焼き付きを防止する処理を行う。焼き付き防止処理には、以下の各方法が採られる。例えば、（１）焼き付き防止処理部１４０は、前表示画面の反転画面を表示する。（２）焼き付き防止処理部１４０は、全白表示をする。（３）焼き付き防止処理部１４０は、あらかじめ用意した画像所定時間おきに表示する。（４）表示部１１０が自発光表示装置である場合、焼き付き防止処理部１４０は、映像周辺部の輝度レベルを下げる。
【００２５】
焼き付き防止処理部１４０は、上記（１）〜（４）のいずれの焼き付き防止処理を行ってもよく、またこれらの焼き付き防止処理を併用してもよい。
【００２６】
以下、上述のように構成された自発光表示装置を備える電子装置の動作について説明する。
【００２７】
図３は、表示装置を備える電子装置の焼き付き防止処理を示すフローチャートである。図中、Ｓはフローの各ステップを示す。
【００２８】
ステップＳ１１では、制御部１３０は、電子装置閉検出部１２０から電子装置（折畳式携帯電話機１００）の閉状態検出信号が入力されたか否かを判別する。上記閉状態検出信号が入力されない、すなわち電子装置が開き状態（図１（ａ）に示すように折畳式携帯電話機１００が開き状態）にある場合は、ステップＳ１２で表示部１１０は通常表示を行って本フローを終了する。
【００２９】
上記閉状態検出信号が入力された場合は、ステップＳ１３で、制御部１３０は、上記閉状態検出信号が入力されてから所定時間が経過したか否かを判別する。所定時間が経過していなければ、上記ステップＳ１１に戻る。所定時間経過を判別することで、電子装置が一旦閉じられて、直ぐに開かれる場合などに、焼き付き防止処理が頻繁に実行されてしまう事態を防ぐことができる。
【００３０】
上記閉状態検出信号が入力されてから所定時間が経過した場合は、ステップＳ１４で、制御部１３０は、焼き付き防止処理部１４０に対して焼き付き防止処理実行の指示を出す。焼き付き防止処理部１４０は、制御部１３０から焼き付き防止処理実行の指示を受けてはじめて、焼き付き防止処理を実行する。焼き付き防止処理部１４０が、実行する焼き付き防止処理は、具体的には、上記（１）前表示画面の反転画面表示、（２）全白表示、（３）あらかじめ用意した画像所定時間おき表示などである。
【００３１】
ステップＳ１５では、焼き付き防止処理部１４０は、焼き付き防止処理の表示を行う。
【００３２】
ステップＳ１６では、制御部１３０は、焼き付き防止処理の表示を行ってから所定時間が経過したか否かを判別する。所定時間が経過していなければ、上記ステップＳ１５に戻る。焼き付き防止処理表示からの所定時間経過を判別することで、焼き付き防止処理が有効に実施されたことを判断することができる。
【００３３】
上記焼き付き防止処理の表示を行ってから所定時間が経過した場合は、ステップＳ１７で、制御部１３０は、焼き付き防止処理部１４０に対して焼き付き防止処理実行停止の指示を出す。焼き付き防止処理部１４０は、制御部１３０から焼き付き防止処理実行停止の指示を受けて焼き付き防止処理をＯＦＦし、焼き付き防止処理表示をＯＦＦする。焼き付き防止処理表示ＯＦＦにより本フローは終了する。
【００３４】
図３破線に囲むように、焼き付き防止処理表示からの所定時間経過後に焼き付き防止処理表示をＯＦＦすることで、省電力化を図ることができる。焼き付き防止処理部１４０は、焼き付き防止処理表示ＯＦＦに加え、焼き付き防止処理自体をＯＦＦすることでより一層の省電力化を図ることができる。
【００３５】
以上詳細に説明したように、本実施の形態によれば、折畳式携帯電話機１００は、表示部１１０の表示画面の全面が覆われたことを検出する電子装置閉検出部１２０と、表示部１１０の表示画面の全面が覆われたことを検出したとき、焼き付き防止処理部１４０に対して焼き付き防止処理の実行を指示する制御部１３０とを備え、焼き付き防止処理部１４０は、表示部１１０の表示画面の全面が覆われた状態において、表示画面の焼き付きを防止する処理を行うので、焼き付き防止処理のためのイレギュラな表示の出現を防ぐことができ、ユーザに違和感を与えることがない。
【００３６】
また、本実施の形態では、制御部１３０は、焼き付き防止処理部１４０に対する焼き付き防止処理の実行を指示後、所定時間経過した場合に焼き付き防止処理の実行停止を指示するので、表示部１１０の表示画面の全面が覆われた状態において、表示画面の焼き付きを防止する処理を継続して行うことができ、焼き付き防止の実効を図ることができる。
【００３７】
また、本実施の形態では、制御部１３０は、閉状態検出信号が入力されてから所定時間が経過した場合に焼き付き防止処理の実行を指示するので、電子装置が一旦閉じられて、直ぐに開かれる場合などに、焼き付き防止処理が頻繁に実行されてしまう事態を防ぐことができる。
【００３８】
（実施の形態２）
図４は、本発明の実施の形態２に係る表示装置を備える電子装置の構成を示す図である。本実施の形態は、第１及び第２の蓋部を備えるＰＤＡ、携帯ゲーム機などの電子装置に適用した例である。
【００３９】
図４に示すように、電子装置２００は、本体２００ａと、第１の蓋部２０１及び第２の蓋部２０２とがヒンジ部（図示略）によって回動自在に連結され、第１の蓋部２０１及び第２の蓋部２０２がそれぞれ開いた状態と閉じた状態との２つの状態を取り得る構造となっている。図４（ａ）は、電子装置２００の第１の蓋部２０１及び第２の蓋部２０２がいずれも開き状態、図４（ｂ）は、第１の蓋部２０１が開き状態で第２の蓋部２０２が閉じ状態であることを示す。
【００４０】
本体２００ａは、表示部２１０を備え、表示部２１０の表示画面は、第１の表示領域２１１と第２の表示領域２１２とを有する。
【００４１】
本実施の形態の電子装置２００は、第１の蓋部２０１及び第２の蓋部２０２により表示部２１０の表示画面の全面を覆うことができる構成の筐体を有する。例えば、フリップ式の携帯電話機、携帯端末などである。
【００４２】
図５は、実施の形態２に係る表示装置を備える電子装置の構成を示すブロック図である。図２と同一構成部分には同一符号を付している。
【００４３】
図５に示すように、電子装置２００は、表示部２１０、第１の蓋閉検出部２２１、第２の蓋閉検出部２２２、制御部２３０、及び焼き付き防止処理部１４０を備えて構成される。
【００４４】
表示部２１０は、例えば有機ＥＬディスプレイなど自発光ディスプレイである。ここでは、表示部２１０は、電子装置２００の表示装置として用いている。電子装置２００の主表示装置には、ＬＣＤディスプレイ等からなる表示装置が使用されることが多い。しかし焼き付きが特に懸念されるのは有機ＥＬディスプレイである。また、表示部２１０は、携帯端末の場合は、軽量化・薄型化の観点からＥＬディスプレイが適しているが自発光ディスプレイであればよく、例えばＰＤＰであってもよい。本実施の形態は、自発光表示装置に特に適しているものの、ＬＣＤディスプレイにも適用可能である。
【００４５】
また、表示部２１０の表示画面は、第１の表示領域２１１と第２の表示領域２１２とを有する。表示部２１０自体が２画面構成であってもよく、この場合一方が有機ＥＬディスプレイ、他方がＬＣＤディスプレイであってもよい。
【００４６】
第１の蓋閉検出部２２１は、電子装置２００の第１の蓋部２０１閉状態を検出するスイッチである。同様に、第２の蓋閉検出部２２２は、電子装置２００の第２の蓋部２０２閉状態を検出するスイッチである。これらのスイッチは、受光素子からなるセンサのほか、メカニカルスイッチであってもよい。
【００４７】
制御部２３０は、ＣＰＵ又は電子回路等により構成され、第１の蓋閉検出部２２１及び第２の蓋閉検出部２２２の閉検出信号に基づいて焼き付き防止処理部１４０の実行制御を行う。制御部２３０は、簡易な構成であるため電子回路で構成してもよく、焼き付き防止処理部１４０内に組み込まれていてもよい。図５破線は、制御部２３０が焼き付き防止処理部１４０に組み込まれ、制御端子付き焼き付き防止処理部１４０Ａを構成する例である。また、制御部２３０は、電子装置２００全体の制御を行う制御部（図示略）の資源を使用してもよい。
【００４８】
焼き付き防止処理部１４０は、表示部２１０の表示画面の焼き付きを防止する処理を行う。焼き付き防止処理には、以下の各方法が採られる。例えば、（１）焼き付き防止処理部１４０は、前表示画面の反転画面を表示する。（２）焼き付き防止処理部１４０は、全白表示をする。（３）焼き付き防止処理部１４０は、あらかじめ用意した画像所定時間おきに表示する。（４）表示部２１０が自発光表示装置である場合、焼き付き防止処理部１４０は、映像周辺部の輝度レベルを下げる。
【００４９】
焼き付き防止処理部１４０は、上記（１）〜（４）のいずれの焼き付き防止処理を行ってもよく、またこれらの焼き付き防止処理を併用してもよい。
【００５０】
以下、上述のように構成された表示装置を備える電子装置の動作について説明する。
【００５１】
図６は、表示装置を備える電子装置の焼き付き防止処理を示すフローチャートである。
【００５２】
ステップＳ２１では、制御部２３０は、第１の蓋閉検出部２２１から電子装置２００の第１の蓋部２０１閉状態検出信号が入力されたか否かを判別する。上記第１の蓋部２０１閉状態検出信号が入力されない、すなわち第１の蓋部２０１が開き状態（図４（ｂ）参照）の場合は、ステップＳ２２で表示部２１０は通常表示を行って本フローを終了する。
【００５３】
上記第１の蓋部２０１閉状態検出信号が入力された場合は、ステップＳ２３で、制御部２３０は、上記第１の蓋部２０１閉状態検出信号が入力されてから所定時間が経過したか否かを判別する。所定時間が経過していなければ、上記ステップＳ２１に戻る。
【００５４】
上記第１の蓋部２０１閉状態検出信号が入力されてから所定時間が経過した場合は、ステップＳ２４で、制御部２３０は、第２の蓋閉検出部２２２から電子装置２００の第２の蓋部２０２閉状態検出信号が入力されたか否かを判別する。上記第２の蓋部２０２閉状態検出信号が入力されない、すなわち第２の蓋部２０１が開き状態の場合は、ステップＳ２２で表示部２１０は通常表示を行って本フローを終了する。
【００５５】
上記第２の蓋部２０２閉状態検出信号が入力された場合は、ステップＳ２５で、制御部２３０は、上記第２の蓋部２０２閉状態検出信号が入力されてから所定時間が経過したか否かを判別する。所定時間が経過していなければ、上記ステップＳ２４に戻る。第１の蓋部２０１及び第２の蓋部２０２のそれぞれにおいて、所定時間経過を判別することで、電子装置２００の各蓋部が一旦閉じられて、直ぐに開かれる場合などに、焼き付き防止処理が頻繁に実行されてしまう事態を防ぐことができる。
【００５６】
上記第２の蓋部２０２閉状態検出信号が入力されてから所定時間が経過した場合は、ステップＳ２６で、制御部２３０は、焼き付き防止処理領域を決定する。制御部２３０は、第１の蓋部２０１が閉じられている時は第１の表示領域２１１を焼き付き防止処理領として決定し、第２の蓋部２０２が閉じられている時は第２の表示領域２１２を焼き付き防止処理領域として決定する。また、制御部２３０は、第１の蓋部２０１と第２の蓋部２０２が閉じられている時は両方の表示領域２１１，２１２を焼き付き防止処理領域として決定する。
【００５７】
ステップＳ２７では、制御部２３０は、焼き付き防止処理部１４０に対して、決定した焼き付き防止処理領域の焼き付き防止処理実行の指示を出す。焼き付き防止処理部１４０は、制御部２３０から焼き付き防止処理実行の指示を受けてはじめて、対象となる焼き付き防止処理領域について焼き付き防止処理を実行する。焼き付き防止処理部１４０が、実行する焼き付き防止処理は、具体的には、上記（１）前表示画面の反転画面表示、（２）全白表示、（３）あらかじめ用意した画像所定時間おき表示などである。
【００５８】
ステップＳ２８では、焼き付き防止処理部１４０は、焼き付き防止処理の表示を行う。
【００５９】
ステップＳ２９では、制御部２３０は、焼き付き防止処理の表示を行ってから所定時間が経過したか否かを判別する。所定時間が経過していなければ、上記ステップＳ２８に戻る。焼き付き防止処理表示からの所定時間経過を判別することで、焼き付き防止処理が有効に実施されたことを判断することができる。
【００６０】
上記焼き付き防止処理の表示を行ってから所定時間が経過した場合は、ステップＳ３０で、制御部２３０は、焼き付き防止処理部１４０に対して焼き付き防止処理実行停止の指示を出す。焼き付き防止処理部１４０は、制御部２３０から焼き付き防止処理実行停止の指示を受けて焼き付き防止処理をＯＦＦし、焼き付き防止処理表示をＯＦＦする。焼き付き防止処理表示ＯＦＦにより本フローは終了する。
【００６１】
このように、本実施の形態によれば、第１の蓋部２０１又は第２の蓋部２０２の閉状態に対応する第１の表示領域２１１と第１の表示領域２１２についてそれぞれ、焼き付き防止処理を実行するので、第１の表示領域２１１と第１の表示領域２１２のそれぞれにおいて焼き付き防止処理のためのイレギュラな表示の出現を防ぐことができ、ユーザに違和感を与えることがない。
【００６２】
（実施の形態３）
図７は、本発明の実施の形態３に係る表示装置を備える電子装置の構成を示す図である。本実施の形態は、筐体全面に表示部を備えるＰＤＡ、携帯ゲーム機、タッチ機能付きＰＣなどの電子装置に適用した例である。
【００６３】
図７に示すように、電子装置３００は、本体３００ａのほぼ全面に表示部３１０を備える。また、表示部３１０と同一面上に人検出部３２０を備える。
【００６４】
図８は、実施の形態３に係る表示装置を備える電子装置の構成を示すブロック図である。図２と同一構成部分には同一符号を付している。
【００６５】
図８に示すように、電子装置３００は、表示部３１０、人検出部３２０、制御部３３０、及び焼き付き防止処理部１４０を備えて構成される。
【００６６】
表示部３１０は、例えば有機ＥＬディスプレイなど自発光ディスプレイである。ここでは、表示部３１０は、電子装置３００の表示装置として用いている。電子装置３００の主表示装置には、ＬＣＤディスプレイ等からなる表示装置が使用されることが多い。しかし焼き付きが特に懸念されるのは有機ＥＬディスプレイである。また、表示部３１０は、携帯端末の場合は、軽量化・薄型化の観点からＥＬディスプレイが適しているが自発光ディスプレイであればよく、例えばＰＤＰであってもよい。本実施の形態は、自発光表示装置に特に適しているものの、ＬＣＤディスプレイにも適用可能である。
【００６７】
人検出部３２０は、表示部３１０側に設置され、表示画面を見ている人を検出する。具体的には、人検出部３２０は、赤外線センサ、カメラによる動き検出、顔認証がある。
【００６８】
制御部３３０は、ＣＰＵ又は電子回路等により構成され、人検出部３２０の人検出信号に基づいて焼き付き防止処理部１４０の実行制御を行う。制御部３３０は、簡易な構成であるため電子回路で構成してもよく、焼き付き防止処理部１４０内に組み込まれていてもよい。図８破線は、制御部３３０が焼き付き防止処理部１４０に組み込まれ、制御端子付き焼き付き防止処理部１４０Ａを構成する例である。また、制御部３３０は、電子装置３００全体の制御を行う制御部（図示略）の資源を使用してもよい。
【００６９】
焼き付き防止処理部１４０は、表示部３１０の表示画面の焼き付きを防止する処理を行う。焼き付き防止処理には、以下の各方法が採られる。例えば、（１）焼き付き防止処理部１４０は、前表示画面の反転画面を表示する。（２）焼き付き防止処理部１４０は、全白表示をする。（３）焼き付き防止処理部１４０は、あらかじめ用意した画像所定時間おきに表示する。（４）表示部３１０が自発光表示装置である場合、焼き付き防止処理部１４０は、映像周辺部の輝度レベルを下げる。
【００７０】
焼き付き防止処理部１４０は、上記（１）〜（４）のいずれの焼き付き防止処理を行ってもよく、またこれらの焼き付き防止処理を併用してもよい。
【００７１】
以下、上述のように構成された表示装置を備える電子装置の動作について説明する。
【００７２】
図９は、表示装置を備える電子装置の焼き付き防止処理を示すフローチャートである。図中、Ｓはフローの各ステップを示す。
【００７３】
ステップＳ３１では、制御部３３０は、人検出部３２０から人検出信号が入力されたか否かを判別する。上記人検出信号が入力されない、すなわち人がいる場合は、ステップＳ３２で表示部３１０は通常表示を行って本フローを終了する。
【００７４】
上記人検出信号が入力された場合は、ステップＳ３３で、制御部３３０は、上記人検出信号が入力されてから所定時間が経過したか否かを判別する。所定時間が経過していなければ、上記ステップＳ３１に戻る。所定時間経過を判別することで、人影が電子装置３００に射しかかった場合などに、焼き付き防止処理が頻繁に実行されてしまう事態を防ぐことができる。
【００７５】
上記人検出信号が入力されてから所定時間が経過した場合は、ステップＳ３４で、制御部３３０は、焼き付き防止処理部１４０に対して焼き付き防止処理実行の指示を出す。焼き付き防止処理部１４０は、制御部３３０から焼き付き防止処理実行の指示を受けてはじめて、焼き付き防止処理を実行する。焼き付き防止処理部１４０が、実行する焼き付き防止処理は、具体的には、上記（１）前表示画面の反転画面表示、（２）全白表示、（３）あらかじめ用意した画像所定時間おき表示などである。
【００７６】
ステップＳ３５では、焼き付き防止処理部１４０は、焼き付き防止処理の表示を行う。
【００７７】
ステップＳ３６では、制御部３３０は、焼き付き防止処理の表示を行ってから所定時間が経過したか否かを判別する。所定時間が経過していなければ、上記ステップＳ３５に戻る。焼き付き防止処理表示からの所定時間経過を判別することで、焼き付き防止処理が有効に実施されたことを判断することができる。
【００７８】
上記焼き付き防止処理の表示を行ってから所定時間が経過した場合は、ステップＳ３７で、制御部３３０は、焼き付き防止処理部１４０に対して焼き付き防止処理実行停止の指示を出す。焼き付き防止処理部１４０は、制御部３３０から焼き付き防止処理実行停止の指示を受けて焼き付き防止処理をＯＦＦし、焼き付き防止処理表示をＯＦＦする。焼き付き防止処理表示ＯＦＦにより本フローは終了する。
【００７９】
図９破線に囲むように、焼き付き防止処理表示からの所定時間経過後に焼き付き防止処理表示をＯＦＦすることで、省電力化を図ることができる。焼き付き防止処理部１４０は、焼き付き防止処理表示ＯＦＦに加え、焼き付き防止処理自体をＯＦＦすることでより一層の省電力化を図ることができる。
【００８０】
このように、本実施の形態によれば、制御部３３０は、表示部３１０の表示画面側の人を検出しないとき、焼き付き防止処理部１４０に対して焼き付き防止処理の実行を指示し、焼き付き防止処理部１４０は、人がいない状態ではじめて、焼き付き防止処理を実行するので、実施の形態１と同様の効果、すなわち、焼き付き防止処理のためのイレギュラな表示の出現を防ぐことができ、ユーザに違和感を与えることがない。
【００８１】
以上の説明は本発明の好適な実施の形態の例証であり、本発明の範囲はこれに限定されることはない。
【００８２】
上記各実施の形態では、表示装置として有機ＥＬディスプレイを一例として挙げているが、表示装置であればどのような表示装置あってもよい。例えば、ＰＤＰを備える映像表示装置であってもよく、ＰＤＰを備える映像表示装置においても、同様に焼き付き防止処理のためのイレギュラな表示の出現を防ぐことができる。
【００８３】
上記各実施の形態では、表示装置を備える電子装置として携帯電話機などの携帯端末に適用した例について説明しているが、携帯電話機に限らずＰＤＡ等の携帯情報端末、パーソナルコンピュータ又はその融合された装置、さらにはＭＰ３プレーヤー、ＨＤＤプレーヤー、携帯型ゲーム機などの携帯機器に適用可能である。
【００８４】
また、上記各実施の形態では、表示装置、電子装置及び焼き付き防止方法という名称を用いたが、これは説明の便宜上であり、装置は映像表示装置、ディスプレイ表示装置等、また方法は表示方法等であってもよい。
【００８５】
さらに、上記表示装置及び電子装置を構成する各部、例えば検出部、制御部の種類・機能、その数及び接続方法などはどのようなものでもよい。
【００８６】
以上説明した焼き付き防止方法は、この焼き付き防止方法を機能させるためのプログラムでも実現される。このプログラムはコンピュータで読み取り可能な記録媒体に格納されている。
【産業上の利用可能性】
【００８７】
本発明に係る電子装置及び焼き付き防止方法は、入力画像信号に応じた画像を表示するディスプレイ表示装置、特に有機ＥＬディスプレイ表示装置に有用である。
【図面の簡単な説明】
【００８８】
【図１】本発明の実施の形態１に係る表示装置を備える電子装置の構成を示す図
【図２】上記実施の形態１に係る表示装置を備える電子装置の構成を示すブロック図
【図３】上記実施の形態１に係る表示装置を備える電子装置の焼き付き防止処理を示すフロー図
【図４】本発明の実施の形態２に係る表示装置を備える電子装置の構成を示す図
【図５】上記実施の形態２に係る表示装置を備える電子装置の構成を示すブロック図
【図６】上記実施の形態２に係る表示装置を備える電子装置の焼き付き防止処理を示すフロー図
【図７】本発明の実施の形態３に係る表示装置を備える電子装置の構成を示す図
【図８】上記実施の形態３に係る表示装置を備える電子装置の構成を示すブロック図
【図９】上記実施の形態３に係る表示装置を備える電子装置の焼き付き防止処理を示すフロー図
【図１０】ＥＬディスプレイを有する携帯電話機の表示画面を示す図
【符号の説明】
【００８９】
１００  折畳式携帯電話機
１０１  上筐体（第１の筐体）
１０２  下筐体（第２の筐体）
１１０，２１０，３１０  表示部
１２０  電子装置閉検出部
１３０，２３０，３３０  制御部
１４０  焼き付き防止処理部
２００，３００  電子装置
２００ａ  本体
２０１  第１の蓋部
２０２  第２の蓋部
２１１  第１の表示領域
２１２  第２の表示領域
２２１  第１の蓋閉検出部
２２２  第２の蓋閉検出部
３２０  人検出部
【図１】
2010204497.tif 000003
【図２】
2010204497.tif 000004
【図３】
2010204497.tif 000005
【図４】
2010204497.tif 000006
【図５】
2010204497.tif 000007
【図６】
2010204497.tif 000008
【図７】
2010204497.tif 000009
【図８】
2010204497.tif 000010
【図９】
2010204497.tif 000011
【図１０】
2010204497.tif 000012